(57)【要約】【課題】ボーダー空間の幅に対応し、植物で緑化される植栽ボーダー領域を形成することができる。【解決手段】敷設面上に植栽ユニットを敷設して構成する植栽ユニット領域の外周のボーダー空間に設ける緑化エリアのボーダー構造体であり、縦長の第１の側壁に縦短の第２の側壁が並設され、第２の側壁の上端と第１の側壁の所定高さの位置に架橋板が架設される断面略ｈ字形の第１の部材と、縦長の側壁から側方へ突出板が突設される断面略ト字形の第２の部材とで構成され、第１の部材の架橋板の上方に第２の部材の突出板を配置して幅を調整可能とし、内部に育成材が充填され植栽される。【選択図】  図１
2004290152.tif 000002
【特許請求の範囲】
【請求項１】
敷設面上に植栽ユニットを敷設して構成する植栽ユニット領域の外周のボーダー空間に設けるボーダー構造体であって、該ボーダー構造体が、少なくとも幅を調整可能であると共に、植栽可能であることを特徴とする緑化エリアのボーダー構造体。
【請求項２】
第１の側面と第２の側面と底面で囲まれる領域を有し、前記領域に育成材が設けられ、該育成材に植栽されるものであることを特徴とする請求項１記載の緑化エリアのボーダー構造体。
【請求項３】
ボーダー構造体の底面と敷設面との間に空気層を形成可能であることを特徴とする請求項１又は２記載の緑化エリアのボーダー構造体。
【請求項４】
縦長の第１の側壁に縦短の第２の側壁が並設され、該第２の側壁の上端と該第１の側壁の所定高さの位置に架橋板が架設される断面略ｈ字形の第１の部材と、縦長の側壁から側方へ突出板が突設される断面略ト字形の第２の部材により構成され、該第１の部材の架橋板の上方に該第２の部材の突出板を配置して、若しくは該第１の部材の架橋板に該第２の部材の突出板を当接して底面が構成されることを特徴とする請求項１、２又は３記載の緑化エリアのボーダー構造体。
【請求項５】
前記第２の部材が、少なくとも前記第２の側壁を分離する第１の部材により構成されることを特徴とする請求項４記載の緑化エリアのボーダー構造体。
【請求項６】
縦長の第１の側壁に縦短の第２の側壁が並設され、該第２の側壁の上端と該第１の側壁の所定高さの位置に架橋板が架設される断面略ｈ字形の第１の部材と、略平面状の上板の所定位置から該第２の側壁よりも僅かに縦長の支持脚が下方に突設される第３の部材により構成され、該第１の側壁を外方にして該第１の部材を互いに対向配置し、該上板を該架橋板に載置して該第１の部材間に該第３の部材を配設することにより構成されることを特徴とする請求項１、２又は３記載の緑化エリアのボーダー構造体。
【請求項７】
前記第１の部材の架橋板若しくは前記第３の部材の上板に、分離容易とする切欠凹溝が所定方向に形成されていることを特徴とする請求項４、５又は６記載の緑化エリアのボーダー構造体。
【請求項８】
前記第２の部材は、前記架橋板の一部を切断することにより、前記側壁を屈曲可能であることを特徴とする請求項４又は５記載の緑化エリアのボーダー構造体。
【請求項９】
前記第３の部材は、前記上板を、若しくは前記上板及び支持脚を切断することにより、様々な平面視形状を形成可能であることを特徴とする請求項６又は７記載の緑化エリアのボーダー構造体。
【請求項１０】
前記第１の部材は、架橋板の一部及び第２の側壁の一部を切断することにより、第１の側壁を屈曲可能であることを特徴とする請求項４、５、６、７、８又は９記載の緑化エリアのボーダー構造体。
【請求項１１】
前記架橋板と前記突出板若しくは前記上板が、透水性若しくは通気性若しくは透水性及び通気性の接着材で接着されることを特徴とする請求項４、５、６、７、８、９又は１０記載の緑化エリアのボーダー構造体。
【発明の詳細な説明】
【０００１】
【発明の属する技術分野】
本発明は、例えば建物の屋上等に植栽ユニットを敷設する等により構成する緑化エリアのボーダー空間に設置するボーダー構造体に関する。
【０００２】
【従来の技術】
従来、建物の屋上等に植栽ユニットを敷設して構成される緑化エリアのボーダー処理に関する公知技術として、特許文献１に、せき止め用の立ち上がり部と接地板部を有する断面Ｌ字状の区画枠材を、ガーデン本体部形成領域を区画するように接地板部を前記形成領域側に向けて床面上に配置し、前記形成領域に敷かれた防水シートの周縁部を、接地板部の上面を経て立ち上がり部の前記形成領域側の側面に沿うように立ち上げ、且つその立ち上がり状態を保持するように区画枠材に取り付け、区画枠材の立ち上がり部とガーデン本体部の側面との所定間隔離間するスペースに玉石、バーク、トーラス等の充填材を収容して美麗な仕上がりにする構造が開示されている。
【０００３】
また、特許文献２には、敷設面上に植物栽培コンテナ群を敷設し、植物栽培コンテナ群の外周縁から所定間隔を置いて仕切部材を設け、植物栽培コンテナ群の外周縁と仕切部材との間に玉砂利等の仕上材を敷設する植栽領域のボーダー処理構造が開示されている。
【０００４】
また、特許文献３には、規格化したガーデン部材をガーデンを形成すべき場所に並設し、複数のガーデン部材の並設で構成されるガーデン部材群の外縁部と前記ガーデンを形成すべき場所の縁部との間に、芝、人工芝、タイル等の前記間を埋める調整材を設置するガーデン構造が開示されている。
【０００５】
【特許文献１】特開２０００−１９９２６５号
【特許文献２】特開２０００−１８８９５３号
【特許文献３】特開平１０−６８２４０号
【０００６】
【発明が解決しようとする課題】
しかし、特許文献１、２の構造は、植栽ユニット群の外周縁と仕切部材との間のボーダー空間に玉石、バーク、トーラス等を収容し、ボーダー空間に植物が無いボーダー領域を形成するものであるから、顧客から植物による全面緑化の要望がある場合にはその要望に応えることが出来ない。更に、植物で緑化されないボーダー領域を形成するものであるから、植栽によるヒートアイランド現象の抑制効果が弱まり、特に、植栽ユニットの一辺の長さが長くなるとボーダー空間が大きくなるケースが増加し、そのため、緑化されないボーダー領域がより大きくなり、ヒートアイランド現象の抑制効果の弱まりが顕著になる。
【０００７】
他方、特許文献３には、植栽ユニット群の外周縁と敷設場所の側壁等の縁部との間に調整材として芝生を設置し、ボーダー空間を緑化する構造の開示はあるものの、ボーダー空間に芝生を植え込む構成であるため、植栽ユニット領域とボーダー領域の芝生で高さが異なるなど、緑化エリアの統一性を維持することが困難で美観に劣るという不具合がある。
【０００８】
本発明は、上記不具合に鑑みなされたものであり、例えば建物の屋上等の敷設面に植栽ユニットを敷設する等により構成する緑化エリアに、植物で緑化されるボーダー領域を形成可能とし、統一性を有する優れた美観の緑化エリアを形成可能にすると共に、ボーダー空間の幅に対応する植栽ボーダー領域を形成することができる植栽領域のボーダー構造体を提供することを目的とする。
【０００９】
【課題を解決するための手段】
本発明の緑化エリアのボーダー構造体は、敷設面上に植栽ユニットを敷設して構成する植栽ユニット領域の外周のボーダー空間に設けるボーダー構造体であって、該ボーダー構造体が、少なくとも幅を調整可能であると共に、植栽可能であることを特徴とする。例えば敷設面上に植栽ユニットを所要数敷設して構成する植栽ユニット領域の外周に、植栽ユニット領域の外周縁から所定間隔開けて仕切部材を配設し、前記所定間隔のボーダー空間を形成する場合等に、ボーダー空間にボーダー処理構造を構成するようにボーダー構造体を設置する。
更に、本発明の緑化エリアのボーダー構造体は、第１の側面と第２の側面と底面で囲まれる領域を有し、前記領域に育成材が設けられ、該育成材に植栽されるものであることを特徴とする。前記ボーダー構造体は、例えば植栽ユニット領域の外周縁に略沿って配設される第１の側面と、前記ボーダー空間の外周縁に略沿って若しくは仕切部材の内縁に略沿って配設される第２の側面と、底面を有し、該第１の側面及び第２の側面及び底面で囲まれる領域を有するものとする。
【００１０】
更に、本発明の緑化エリアのボーダー構造体は、ボーダー構造体の底面と敷設面との間に空気層を形成可能であることを特徴とし、ボーダー構造体を敷設面に敷設した状態で、その底面と敷設面との間に空気層が形成される構成とする。
【００１１】
更に、本発明の緑化エリアのボーダー構造体は、縦長の第１の側壁に縦短の第２の側壁が並設され若しくは互いに平行に設けられ、該第２の側壁の上端と該第１の側壁の所定高さの位置に架橋板が架設される断面略ｈ字形の第１の部材と、縦長の側壁から直交等で側方へ突出板が突設される断面略ト字形の第２の部材により構成され、該第１の部材の架橋板の上方に該第２の部材の突出板を載置等により配置して、若しくは該第１の部材の架橋板に該第２の部材の突出板を当接して底面が構成されることを特徴とする。前記ボーダー構造体は、例えば第１の部材の第１の側壁の架橋板より略上方位置の部分と第２の部材の側壁の突出板より略上方位置の部分とで、第１と第２の各側面若しくは第２と第１の各側面が構成され、両側面と底面で囲まれる領域に育成材が充填して設けられ、育成材若しくは育成材上に植栽が施される。
【００１２】
更に、本発明の緑化エリアのボーダー構造体は、前記第２の部材が、少なくとも前記第２の側壁を分離する第１の部材により構成されることを特徴とする。例えば第１の部材の第２の側壁を切断して第２の部材を構成し、第１の部材の架橋板を第２の部材の突出板とする構成や、或いは後述の第１の部材の架橋板の所定位置に形成される切欠凹溝に沿って切断して第２の部材を構成し、第１の部材の架橋板の全部若しくは一部を第２の部材の突出板とする構成等とすることが可能である。
【００１３】
また、本発明の緑化エリアのボーダー構造体は、縦長の第１の側壁に縦短の第２の側壁が並設され若しくは互いに平行に設けられ、該第２の側壁の上端と該第１の側壁の所定高さの位置に架橋板が架設される断面略ｈ字形の第１の部材と、略平面状の上板の所定位置から該第２の側壁よりも僅かに縦長の支持脚が下方に突設される第３の部材により構成され、該第１の側壁を外方にして該第１の部材を互いに対向配置し、該上板を該架橋板に載置して該第１部材間に該第３の部材を配設することにより構成されることを特徴とする。前記ボーダー構造体は、例えば第１の部材の第１の側壁の架橋板より略上方位置の部分で第１と第２の各側面が構成され、第１の部材の第２の側壁相互間に第３の部材の支持脚が配置され、第１の部材の架橋板の上面に第３の部材の上板を載置して、若しくは第１の部材の架橋板に第３の部材の上板を当接して底面が構成され、両側面と底面で囲まれる領域に育成材が充填して設けられ、育成材若しくは育成材上に植栽が施される。
【００１４】
また、本発明の緑化エリアのボーダー構造体は、上記第２の部材と、略平板状の上板の所定位置から支持脚が下方に突設される第３の部材により構成され、第２の部材の突出板が第３の部材の上板より僅かに高い位置に設けられ、側壁を外方にして第２の部材を互いに対向配置し、第２の部材の突出板を第３の部材の上板に載置して第２の部材間に第３の部材を配設して構成してもよい。前記ボーダー構造体は、例えば第２の部材の側壁の突出板より略上方位置の部分で第１と第２の各側面が構成され、第３の部材の上板に第２の部材の突出板を載置して底面が構成され、両側面と底面で囲まれる領域に育成材が充填して設けられ、育成材若しくは育成材上に植栽が施される。
【００１５】
更に、本発明の緑化エリアのボーダー構造体は、前記第１の部材の架橋板若しくは前記第３の部材の上板に、切断等で分離容易とする切欠凹溝が長さ方向等の所定方向に形成されていることを特徴とする。
【００１６】
更に、本発明の緑化エリアのボーダー構造体は、前記第２の部材が、前記架橋板の一部を切断することにより、前記側壁を屈曲可能であることを特徴とする。
例えば第２の部材の架橋板の一部を、架橋板の切断部分が所定角度等となるように縦断して切断し、側壁を屈曲して所要形状の部材を構成する。
【００１７】
更に、本発明の緑化エリアのボーダー構造体は、前記第３の部材が、前記上板を、若しくは前記上板及び支持脚を切断することにより、様々な平面視形状を形成可能であることを特徴とする。例えば第３の部材の上板や必要に応じて支持脚を、上板が所定形状或いは所要形状とするように縦断して切断し、所要形状の部材を構成する。
【００１８】
更に、本発明の緑化エリアのボーダー構造体は、前記第１の部材が、架橋板の一部及び第２の側壁の一部を切断することにより、第１の側壁を屈曲可能であることを特徴とする。例えば第１の部材の架橋板の一部及び第２の側壁の一部を、架橋板の切断部分が所定角度等となるように縦断して切断し、第１の側壁を屈曲して所要形状の部材を構成する。
【００１９】
更に、本発明の緑化エリアのボーダー構造体は、前記架橋板と前記突出板若しくは前記上板が、透水性若しくは通気性若しくは透水性及び通気性の接着材で接着されることを特徴とする。
【００２０】
【作用】
本発明の緑化エリアのボーダー構造体は、幅調整及び植栽が可能であることから、例えば植栽ユニット領域の外周縁と仕切部材の内縁間若しくは植栽ユニット領域の外周縁と建物の所定箇所の側壁間等のボーダー空間に、そのボーダー空間の幅に合わせ幅調整してボーダー構造体を設置し、ボーダー構造体に植物を栽培する等、植栽ユニット領域と仕切部材間若しくは植栽ユニット領域と前記側壁間等のボーダー空間或いはボーダー領域に植物を栽培することができる。
【００２１】
また、ボーダー構造体が、第１の側面及び第２の側面及び底面で囲まれる領域を有し、前記領域に育成材が充填され、育成材に植栽されるものとすることにより、ボーダー空間に簡単な構造で安価に植栽を施すことができる。
【００２２】
また、ボーダー構造体を、底面と敷設面との間に空気層を形成可能なものとして、ボーダー構造体を敷設面に敷設した状態で、その底面と敷設面との間に空気層が形成される構成とすることにより、植栽される植物の根への空気の循環が良くなり、丈夫な植物を栽培することが可能となると共に、前記空気層で余剰水の排水経路を構成することができ、根腐れ防止効果も同時に発揮することが可能となる。
【００２３】
また、断面略ｈ字形の第１の部材と断面略ト字形の第２の部材を組み合わせて幅を調整可能なボーダー構造体を構成することにより、簡単な構造で幅方向を自在に調整可能なボーダー構造体を得ることができ、且つ、例えば押出成形で製造する場合等には安価に製造することが可能になる。更に、施工時にボーダー構造体を設置してボーダー処理構造を構成する場合に、簡単且つ確実にボーダー処理構造を形成することができる。
【００２４】
また、ボーダー構造体の第２の部材を、例えば第１の部材の第２の側壁等の一部を分離する第１の部材で構成することにより、製造時に第１の部材のみを製造するだけでボーダー構造体を得ることができ、コストダウンを図ることができる。
【００２５】
また、断面略ｈ字形の第１の部材を向かい合わせ、その間に第３の部材を架設する等で設けて幅を調整可能なボーダー構造体を構成することにより、簡単な構造で幅方向を自在に調整可能なボーダー構造体を得ることができ、且つ、例えば押出成形で製造する場合等には安価に製造することが可能になる。更に、施工時にボーダー構造体を設置してボーダー処理構造を構成する場合に、簡単且つ確実にボーダー処理構造を形成することができる。更には、幅広のボーダー空間や多様な形状のボーダー空間の場合にも容易に対応することが可能となる。
【００２６】
また、第１の部材の架橋板若しくは第３の部材の上板等の一部に切欠凹溝等を形成し、容易に切断等で分離することを可能にすることで、ボーダー構造体或いはボーダー処理構造の幅方向の調節を自在且つ容易にすることができ、更に、幅広の箇所にも容易に対応することが可能となる。
【００２７】
また、第２の部材の架橋板の一部を切断して側壁を屈曲する、或いは第３の部材の上板や支持脚を切断する、或いは第１の部材の架橋板の一部及び第２の側壁の一部を切断して第１の側壁を屈曲する等で所要形状の部材を構成可能とすることにより、略円形、略多角形或いは斜めなど多様な形状のボーダー領域に容易に適応して施工することが可能となる。
【００２８】
また、架橋板と突出板若しくは上板等の各部材を組み合わせる箇所等で、各部材を透水性や通気性の接着材で接着することにより、互いの部材を容易且つ確実に接着することができると共に、接着箇所に排水口や通気口としての機能を発揮させることが可能となり、別途排水用の穴や通気用の穴等を穿設する必要を無くし、製造コスト等のコストを低減することができると共に、ボーダー領域に於ける良好な植栽が可能となる。
【００２９】
【発明の実施の形態】
次に、本発明の実施形態について図面に沿って説明する。図１は第１、第２実施形態のボーダー構造体によるボーダー処理構造を示す断面図、図２は第１部材を示す図、図３は第２部材を示す図である。
【００３０】
第１及び第２実施形態に於けるボーダー処理構造は、図１に示すように、前提としてビルの屋上、ベランダ等の敷設面１０上に植栽ユニット２０を所要数敷設して植栽ユニット領域を構成し、所要数敷設された植栽ユニット２０で構成される植栽ユニット領域の外周に所定間隔を置いて仕切部材３０を配設し、植栽ユニット領域の外周縁と仕切部材３０との間に形成されるボーダー空間に幅を調節可能なボーダー構造体１００を配設する構成である。
【００３１】
植栽ユニット２０は、平面視略方形状であり、側壁２１と底面２２を有する上面開口の略箱体内に、人工軽量土壌等の育成材２４が充填され、育成材２４に植物２５が植え込まれているものである。２３は支持脚であり、支持脚２３の支持で敷設面１０と底面２２間に空気層が形成される構成である。尚、植栽ユニット領域は、植栽ユニット２０が１若しくは複数敷設された領域であり、例えば複数の植栽ユニット２０を略密接して並設することにより植栽ユニット領域を構成する。
【００３２】
仕切部材３０は、例えば縁石等とし、植栽ユニット領域の外周の所要箇所に、植栽ユニット領域の外周縁から所定間隔離れた外側に配設或いは周設される。前記所定間隔は所定サイズ或いは所定幅の植栽ユニット２０を追加敷設することができない距離以内であり、前記所定間隔の空間がボーダー空間となる。前記仕切部材３０の高さは、植栽ユニット領域の外周縁の上端或いは植栽ユニット２０の側壁２１の上端の高さと同一か、それより高くなっており、又、仕切部材３０の材質は例えばコンクリート、レンガ、プラスチック、木材等である。仕切部材３０は移動可能とし且つ配設位置から風雨等で移動しない重量とする、或いは風雨等で移動しないように敷設面１０等に接着等で固設するとよい。
【００３３】
ボーダー構造体１００は、図１（ａ）に示すように第１部材１１０と第２部材１２０を組み合わせて、或いは図１（ｂ）に示すように第１部材１１０と第３部材１３０を組み合わせて、前記所定間隔内に収まる程度の幅を有する略凹状の溝形に構成されており、前記略凹状溝の内部に育成材１０１が充填され、育成材１０１に植物１０２が植え込まれて植栽状態のボーダー構造体１００或いはボーダー緑化体が構成される。
【００３４】
第１部材１１０は、図２に示すように、縦長で植栽ユニット領域の外周縁の高さ若しくは植栽ユニット２０の側壁２１の高さと略同一か、それよりも低い第１側壁１１１と、縦短の第２側壁１１２が下端を揃え互いに並行して並設されており、第２側壁１１２の上端から第１側壁１１１の方向へ略直角に屈曲して架橋板１１３が延設され、第２側壁１１２の上端と第１側壁１１１の所定高さの位置に架橋板１１３が架設されている断面略ｈ字形に形成されている。架橋板１１３には、第２側壁１１２及び第１側壁１１１の一部を切断可能な切欠凹溝１１４が長手方向に連なって形成されている。第１側壁１１１、第２側壁１１２、架橋板１１３はそれぞれ略平面状に形成され、第１部材１１０は全体として長さ方向（側面図で紙面垂直方向）に長くなっており、又、押出成形で形成されている。更に、第１側壁１１１及び第２側壁１１２の下端には、後加工等により、余剰水等を有効に植栽領域外或いは緑化エリア外に排水可能若しくは通水可能な切欠の通水部１１５が形成され、通水部１１５は長手方向に所定間隔で形成されている。
【００３５】
第２部材１２０は、縦長の側壁１２１の所定高さの位置から側方へ、側壁１２１に対して略垂直に突出板１２２が突設されている構成である。第２部材１２０は、第１部材１１０を切欠凹溝１１４で切断したものであり、側壁１２１は第１部材１１０の第１側壁１１１に対応し、突出板１２２は第１部材１１０の架橋板１１３の一部或いは大部分に対応している。
【００３６】
第３部材１３０は、図３に示すように、略平板状の上板１３１を有し、上板１３１の下面の所定位置から、第１部材１１０の第２側壁１１２の高さよりも架橋板１１３の板厚分高い或いは長い支持脚１３２が下方に突出して設けられ、支持脚１３２は、長さ方向（側面図で紙面垂直方向）に一連の略平板状で、所定位置に複数設けられている。前記上板１３１には、支持脚１３２相互間の所定位置若しくは支持脚１３２の外側の所定位置に、破断可能若しくは切断可能とする切欠凹溝１３３が長さ方向（側面図で紙面垂直方向）に連なって形成され、切欠凹溝１３３は所定位置に複数形成されている。第３部材１３０は、全体として長さ方向（側面図で紙面垂直方向）及び幅方向（側面図で横方向）に長く形成され、押出成形で形成されている。更に、各支持脚１３２の下端には、後加工等により、余剰水等を有効に植栽領域外或いは緑化エリア外に排水可能若しくは通水可能な切欠の通水部１３４が形成され、通水部１３４は長さ方向（側面図で紙面垂直方向）に所定間隔で形成されている。
【００３７】
そして、所定間隔がある程度幅狭の場合のボーダー空間のボーダー処理構造では、第１実施形態の図１（ａ）に示すように、先ず、一方の第１部材１１０を切欠凹溝１１４で切断して第２側壁１１２及び架橋板１１３の一部を分離することで、断面略ト字形の第２部材１２０を構成する。更に、植栽ユニット領域の外周縁と仕切部材３０の内縁間のボーダー空間の幅に対応するように、第１部材１１０の第１側壁１１１と第２部材１２０の側壁１２１間の幅を調整して、第１部材１１０の第１側壁１１１及び前記第２部材１２０の側壁１２１を外側にして第１部材１１０と第２部材１２０をボーダー空間に対向配置すると共に、第１部材１１０の架橋板１１３の上面に第２部材１２０の突出板１２２を載置する。
【００３８】
更に、前記突出板１２２を載置した箇所或いは載置した突出板１２２の先端近傍位置で、突出板１２２と架橋板１１３を不織布等の透水性及び通気性の接着材で接着して接着部１０３を設け、略凹状溝形のボーダー構造体１００を構成する。前記接着部１０３は余剰水を排水する排水機能及び植物２５の根へ空気を送る通気機能を有する。
【００３９】
更に、外方に位置する第１側壁１１１の架橋板１１３より上方位置で構成する側面、及び側壁１２１の突出板１２２より上方位置で構成する側面、及び突出板１２２と架橋板１１３の一部で構成する底面或いは突出板１２２の一部と架橋板１１３の一部と接着部１０３で構成する底面で囲まれる凹状溝形の領域或いは凹状溝内に育成材１０１を充填し、育成材１０１に植物１０２を植栽して植栽状態のボーダー構造体１００或いはボーダー緑化体を構成し、前記幅狭のボーダー空間のボーダー処理構造或いはボーダー領域を構成する。
【００４０】
尚、上記第１部材１１０を切断して第２部材１２０を構成し、第２部材１２０の突出板１２２を第１部材１１０の架橋板１１３に載置する場合、第２部材１２０の側壁１２１の下端位置が架橋板１１３の板厚分高くなって板厚分のズレを生ずるが、架橋板１１３或いは突出板１２２の板厚を例えば２ｍｍ以下とする、或いは第１部材１１０、第２部材１２０を所定の樹脂製等とすることにより、充填する育成材２４の重さ等で架橋板１１３や突出板１２２を変形して板厚分のズレを吸収することが可能である。
【００４１】
また、架橋板１１３の側方突出長さの２倍超など所定間隔がある程度幅広の場合のボーダー空間のボーダー処理構造では、第２実施形態の図１（ｂ）に示すように、植栽ユニット領域の外周縁と仕切部材３０の内縁間のボーダー空間の幅に対応するように、両外側に配置する第１側壁１１１・１１１間の幅を調整して、第１部材１１０・１１０を対向配置する。前記対向配置の状態では、両側の第１部材１１０・１１０の第２側壁１１２・１１２が内側に位置し、所定距離離間する第２側壁１１２・１１２間に空間が形成される。
【００４２】
更に、支持脚１３２の両側など所定位置の切欠凹溝１１４で容易に切断可能な第３部材１３０を、例えば対向配置する第１部材１１０・１１０の第２側壁１１２・１１２相互間の空間に支持脚１３２を収容可能で、且つ両側の架橋板１１３・１１３に上板１３１を載置可能な大きさに所要位置の切欠凹溝１１４で切断する。
【００４３】
更に、所要位置の切欠凹溝１３３で切断した第３部材１３０の上板１３１の両外側の部分をそれぞれ架橋板１１３の上面に載置すると共に、第１部材１１０・１１０の第２側壁１１２・１１２間の空間に第３部材１３０の支持脚１３２を配置して、第３部材１３０を両側の第１部材１１０・１１０間に配設し、前記上板１３１を載置した箇所或いは載置した上板１３１の両外側の先端近傍位置で、上板１３１と架橋板１１３を不織布等の透水性及び通気性の接着材で接着して接着部１０３を設け、略凹状溝形のボーダー構造体１００を構成する。前記接着部１０３は余剰水を排水する排水機能及び植物２５の根へ空気を送る通気機能を有する。
【００４４】
更に、外方に位置する第１側壁１１１の架橋板１１３より上方位置で構成する両側面、及び両側の架橋板１１３・１１３上に架設する上板１３１と両側の架橋板１１３の一部で構成する底面或いは前記上板１３１の一部と両側の架橋板１１３の一部と接着部１０３で構成する底面で囲まれる凹状溝形の領域或いは凹状溝内に育成材１０１を充填し、育成材１０１に植物１０２を植栽して植栽状態のボーダー構造体１００或いはボーダー緑化体を構成し、前記幅広のボーダー空間のボーダー処理構造或いはボーダー領域を構成する。
【００４５】
尚、本発明のボーダー構造体１００は、上記第１、第２実施形態に限定されるものではなく、ボーダー構造体１００の幅寸法は自在に調整して構成することが可能であり、かかるボーダー構造体１００により、現場でボーダー空間に合わせて適宜のボーダー構造体１００を容易に構成し、容易にボーダー領域の施工を行うことができる。
【００４６】
例えばボーダー空間の幅が架橋板１１３の幅若しくは側方への突出長さの２倍以内の場合に於いて、例えば図１（ａ）のボーダー構造体１００では、第１部材１１０の第２側壁１１２の外面が第２部材１２０の側壁１２１の内面と所定距離離間する幅寸法に構成されているが、ボーダー空間の幅寸法に応じ、例えば図４（ａ）の第３実施形態に示すように、第１部材１１０の第２側壁１１２の外面を第２部材１２０の側壁１２１の内面に当接し、架橋板１１３の幅若しくは側方への突出長さと略同一幅のボーダー構造体１００としてもよく、又、図４（ｂ）の第４実施形態に示すように、第１部材１１０・１１０の第２側壁１１２・１１２の外面を相互に当接し、第１側壁１１１・１１１を両外側にして第１部材１１０・１１０を対向配置し、架橋板１１３の幅若しくは側方への突出長さの略２倍の幅のボーダー構造体１００としてもよい。
【００４７】
また、ボーダー空間の幅が架橋板１１３の幅若しくは側方への突出長さの２倍超の場合に於いては、例えば図１（ｂ）のボーダー構造体１００のように、両側の第１部材１１０・１１０の架橋板１１３・１１３の上に第３部材１３０の上板１３１を載置する構成以外に、例えば図４（ｃ）の第５実施形態のボーダー構造体１００のように、両側の第１部材１１０・１１０の架橋板１１３・１１３に、第３部材１３０の上板１３１の両側端部を当接し、架橋板１１３の先端と上板１３１の端部の近傍に接着部１０３を設ける構成とすることも可能である。かかる構成により、架橋板１１３の２倍の幅（図４（ｂ））を超える場合にも、第３部材１３０の切断前の上板１３１の幅寸法と第１部材１１０の架橋板１１３の２倍の幅寸法の合成幅寸法（図４（ｃ））まで自在に幅寸法を調整することが可能である。尚、第３部材１３０は、上板１３１を第１部材１１０の架橋板１１３上で動かして位置を調整することができ、そのため、ある程度適当に切断することが可能であることから、施工性が向上する。
【００４８】
上記第１〜第５実施形態のボーダー構造体１００でボーダー処理構造を構成することにより、多様なボーダー空間に適応してボーダー処理を容易且つ確実に行うことができると共に、ボーダー領域に植栽することができる。即ち、ボーダー空間の外周縁が建物のパラペット若しくは外壁など移動不能である場合や、緑化エリア或いは植栽領域の形成する範囲が決められている場合等には、予め規定されているサイズや形状の植栽ユニット２０を敷設面１０に複数敷設して構成する植栽ユニット領域の外周縁と仕切部材３０の内縁若しくは緑化エリアの外周縁との間に様々な幅寸法のボーダー空間が発生することになるが、ボーダー構造体１００が幅寸法を自在に調整可能であることにより、ボーダー空間に所要幅に調整してボーダー構造体１００を設置し、ボーダー処理を施すことが可能であり、又、ボーダー構造体１００に植栽してボーダー領域の緑化を図ることができる。
【００４９】
また、例えば植栽ユニット領域の外周縁と仕切部材３０との距離或いは所定間隔が事前に分からない場合等でも、容易に現場で所要のボーダー構造体１００を構成してボーダー処理を施すことが可能であり、実測後に再度工場などでプランターなどを製造する等の手間が省け、コストダウンを図ることもできる。更に、良好な植栽が可能なボーダー構造体１００を、第１部材１１０と第２部材１２０或いは第１部材１１０相互或いは第１部材１１０と第３部材１３０の組み合わせで容易に構成することが可能であり、かかる面からもコストダウンを図ることができる。
【００５０】
また、ボーダー領域に植栽することができ、敷設面１０に構成する緑化エリアの全体に無駄なく植栽することを可能にするため、緑化エリアによるヒートアイランド現象の緩和効果を非常に高めることができる。
【００５１】
また、例えばボーダー構造体１００内の余剰水を排水穴、或いは植物２５の根へ通気する通気穴等を別途設けずとも、透水性及び通気性の接着材による接着箇所が排水機能や通気機能を発揮し、ボーダー領域で良好な植栽を行うことができる。また、第１部材１１０の第１側壁１１１と第２側壁１１２、第２部材１２０の側壁１２１、又は第３部材１３０の支持脚１３２により、ボーダー構造体１００の底面が敷設面１０から所定距離離間して空気層が形成され、前記空気層に常時空気が流通して根への通気を十分に行うことができると共に、前記空気層に排水通路が形成することができる。
【００５２】
以上、本発明の第１〜第５実施形態について説明したが、本発明は上記実施形態に限定されるものではなく、様々な拡張及び変形が可能である。
【００５３】
例えば第１部材１１０、第２部材１２０、第３部材１３０は上記実施形態に限定されるものではなく、例えば図５に示す基本構造の第１部材１１０を用いてもよい。前記基本構造の第１部材１１０を用いることにより、例えば後述の如く第１部材１１０と第２部材１２０の下端或いは第１部材１００相互の下端等に板厚分の高さのズレが生ずることを防止することができ、より安定したボーダー構造体１００或いはボーダー処理構造を構成することが可能となる。
【００５４】
前記基本構造の第１部材１１０は、上記実施形態の第１部材１１０と同様に、縦長の第１側壁１１１と下端に通水部１１５を有する縦短の第２側壁１１２が並設され、第２側壁１１２の上端と第１側壁１１１の所定高さの位置に架橋板１１３が架設されていると共に、架橋板１１３から所定距離を開けた上方位置で第１側壁１１１から架橋板１１３と同方向に突出板１１６が突設されている。突出板１１６の先端には下方に突出する凸部１１７が形成され、凸部１１７の先端は架橋板１１３の上面と略同一平面の高さに位置する。架橋板１１３及び突出板１１６の第１側壁１１１の近傍位置には、それぞれ切断を容易にする切欠凹溝１１４が長手方向に沿って形成されている。尚、凸部１１７は本例では長手方向に沿って形成しているが、長手方向の所定箇所に複数形成してもよい。
【００５５】
そして、前記基本構造の第１部材１１０からボーダー構造体１００を構成する場合、例えば幅狭のボーダー空間に於いては、第６実施形態の図６（ａ）のように、一方の前記基本構造の第１部材１１０の突出板１１６を切欠凹溝１１４で切断して断面略ｈ字形の第１部材１１０を構成し、他方の前記基本構造の第１部材１１０の架橋板１１３及び第２側壁１１２を切断して断面略ト字形の第２部材１２０を構成し、第２部材１２０の突出板１２２（１１６）の凸部１２３（１１７）の先端を、第１部材１１０の架橋板１１３の上面に当接して突出板１２２（１１６）を架橋板１１３の上方に配置する。前記構成では、架橋板１１３上の所定位置に載置される凸部１２３（１１７）が突出板１２２（１１６）を支持するので、高い安定性を有し、更に、凸部１２３（１１７）の先端が架橋板１１３の上面と略同一平面の高さに位置するので、第１部材１１０の側壁１１１、１１２の下端と第２部材１２０の側壁１２１の下端が略同一高さとなり、上記板厚分の高さズレが発生することを防止できる。
【００５６】
他方で、例えば幅広のボーダー空間に於いては、例えば第７実施形態の図６（ｂ）のように、前記基本構造の第１部材１１０をそのまま用い、第１側壁１１１を外方に位置して第１部材１１０・１１０を対向配置し、突出板１１６・１１６の上面に第３部材１３０の上板１３１を載置して、第１部材１１０・１００間に第３部材１３０を配設するボーダー構造体１００とし、又は、例えば第８実施形態の図６（ｃ）のように、前記基本構造の第１部材１１０から突出板１１６を切断分離した第１部材１１０を用い、第１側壁１１１を外方に位置して第１部材１１０・１１０を対向配置し、架橋板１１３・１１３の上面に第３部材１３０の上板１３１を載置して、第１部材１１０・１１０間に第３部材１３０を配設するボーダー構造体１００とするなど適宜である。
【００５７】
尚、第１部材１１０や第２部材１２０の下端と支持脚１３０の下端が揃うように、仕様に応じて支持脚１３２の高さを設定すると、安定性が高まって好適であり、又、図６には省略したが、凸部１１７の当接位置の近傍に於ける架橋板１１３と突出板１１６、或いは上板１３１の両側近傍に於ける突出板１１６と上板１３１、或いは上板１３１の両側近傍に於ける架橋板１１３と上板１３１は、透水性及び通水性の接着材による接着部１０３で接着されている。
【００５８】
また、図７（ａ）、（ｂ）の第１部材１１０のように、第１部材１１０の第１側壁１１１及び第２側壁１１２の下端近傍に、第１側壁１１１、第２側壁１１２の下端を切断可能な第１の切欠凹溝１１４を、前記下端から架橋板１１３等の板厚分上方の高さに長手方向へ形成し、更に前記切欠凹溝１１４から前記板厚分上方の高さに第２の切欠凹溝１１４を長手方向へ形成した第１部材１１０、換言すれば複数の切欠凹溝１１４を板厚分の間隔毎に側壁１１１、１１２の下端近傍に形成した第１部材１１０としてもよい。尚、前記第１部材１１０の他の基本構成は図２の第１部材１１０と同様である。
【００５９】
前記第１部材１１０を用いてボーダー構造体１００を構成する場合には、例えば第９実施形態の図７（ｃ）のように、第１部材１１０の第１側壁１１１及び第２側壁１１２をそれぞれ最も低い位置の切欠凹溝１１４で切断し、前記板厚分架橋板１１３が低くなるようにして第１部材１１０を構成し、他方で、前記第１部材１１０を架橋板１１３の切欠凹溝１１４で切断して断面略ト字形の第２部材１２０を構成し、前記第１部材１１０の架橋板１１３上に第２部材１２０の突出板１２２を載置して、第１部材１１０と第２部材１２０を対向配置する略凹状溝形のボーダー構造体１００を構成する。前記側壁１１１、１１２の切断により、架橋板１１３の板厚分のズレを解消することが可能となり、より安定性が高いボーダー構造体１００或いはボーダー処理構造を構成することが可能となる。
【００６０】
更に、例えば第１０実施形態の図７（ｄ）のように、第１部材１１０を架橋板１１３の切欠凹溝１１４で切断し、第２側壁１１２及び架橋板１１３の一部を分離した双方の断面略ト字形の第２部材１２０を形成し、一方の第２部材１２０を側壁１２１若しくは第１側壁１１１の下端近傍の最下部の切欠凹溝１１４で切断して、突出板１２２が突出板１２２の板厚分低い第２部材１２０とし、前記板厚分低い第２部材１２０の突出板１２２上に他方の第２部材１２０の突出板１２２を載置して第２部材１２０・１２０を対向配置して略凹状溝形のボーダー構造体１００を構成すると共に、前記分離部を第２側壁１１２の下端近傍の最下部から２番目の切欠凹溝１１４で切断して脚部１０４を形成し、前記板厚分低い第２部材１２０の突出板１２２の下側に、第２側壁１１２の対応部分を立設して断面略逆Ｌ字形で或いは断面略Ｌ字形で配設し、脚部１０４で突出板１２２を支持するボーダー構造体１００を構成してもよい。前記ボーダー構造体１００或いはそのボーダー処理構造により、架橋板１１３の幅よりも狭いボーダー空間等、より幅方向に狭いボーダー空間の処理が可能となる。
【００６１】
また、図８及び図９に示す第１１実施形態のボーダー構造体１００や、前記ボーダー構造体１００に於ける第１部材１１０、第３部材１３０としても、取扱が容易になって好適である。
【００６２】
即ち、第１部材１１０を、図８（ａ）のように上記実施形態と同様、第１側壁１１１の所定高さの位置と、第１側壁１１１と並設される第２側壁１１２の上端とを架橋板１１３で架設し、架橋板１１３から所定距離を開けた上方位置で第１側壁１１１から架橋板１１３と同方向に突出板１１６を突設すると共に、架橋板１１３の第２側壁１１２側の先端に上方へ突出する凸部１１８を突設し、突出板１１６の第２側壁１１２側の先端に下方へ突出する凸部１１８を突設して形成する。前記凸部１１８・１１８の先端相互間の距離は、後述する第３部材１３０の上板１３１の板厚と同じか、前記板厚より僅かに長くなっており、又、前記凸部１１８は本例では長手方向（側面図で紙面垂直方向）に沿って形成しているが、長手方向の所定箇所に複数形成してもよい。
【００６３】
他方、第３部材１３０を、上板１３１の略中央位置から支持脚１３２或いは支持板を下方に突出形成した断面略Ｔ字形とし、上板１３１の両外側端縁に上下方向へ突出する凸部１３５を突設して形成する。前記上下の凸部１３５・１３５の先端相互間の距離は、第１部材１１０の架橋板１１３と突出板１１６間の距離と同じか、僅かに前記距離より短く、更に、前記凸部１１８・１１８の先端相互間の距離より長くなっており、又、前記凸部１３５は本例では長手方向に沿って形成しているが、長手方向（側面図で紙面垂直方向）の所定箇所に複数形成してもよい。
【００６４】
そして、図９に示すように、第１側壁１１１を外方にして第１部材１１０・１１０を両外側に対向配置し、架橋板１１３と突出板１１６の凸部１１８・１１８間に凸部１３５・１３５を挟入して、各第１部材１１０のそれぞれの架橋板１１３と突出板１１６との間に、第３部材１３０の上板１３１の両外側の端部を挿入し、略凹状溝形のボーダー構造体１００を構成する。
【００６５】
上記第１１実施形態のボーダー構造体１００は、第１部材１１０の架橋板１１３と突出板１１６に形成した凸部１１８・１１８と、第３部材１３０の上板１３１に形成した凸部１３５・１３５が係合してボーダー構造体１００の幅を規制することが可能であり、第３部材１３０が第１部材１１０から外れることを防止することができると共に、施工現場等で予め構成したボーダー構造体１００を、第１部材１１０の架橋板１１３と突出板１１６の間に位置する第３部材１３０の上板１３１をスライドして幅調整し、ボーダー構造体１００をボーダー領域に施工することが可能であり、取扱が容易となって施工性が向上する。
【００６６】
また、ボーダー構造体１００は、例えば対向する２つの側壁間に伸縮自在な蛇腹部を設け、前記蛇腹部で幅を調節可能とする略凹状溝形のプランター或いは略箱形等の他の形状のプランター等としてもよく、前記プランターをボーダー領域に複数など所要数敷設してボーダー処理構造を構成してもよい。
【００６７】
また、ボーダー構造体１００の内部に不織布などのシート部材或いは防根シート等を設ける構成としてもよく、例えば第１２実施形態の図１０に示すように、略凹状溝形のボーダー構造体１００の第１部材１１０の第１側壁１１１の上端近傍と第２部材１２０の側壁１２１の上端近傍に、それぞれ内方に突出する凸部１１９・１２４を長手方向に沿って形成し或いは長手方向の所定箇所に複数形成し、ボーダー構造体１００の底面及び両側壁１１１・１２１の内面及び両側壁１１１・１２１の外側上端近傍の外面にかけて防根シート１０５を敷設し、前記凸部１１９・１２４にクリップ部材１０６をはめ込み、凸部１１９・１２４とクリップ部材１０６の狭持で防根シート１０５を係止する構成等とする。前記構成により、防根シート１０５の移動等を未然に防止することが可能となり、長期に亘って高い安定性を有するボーダー構造体１００を形成することができる。
【００６８】
また、ボーダー構造体１００の第１部材１１０、第２部材１２０、第３部材１３０の構造は上記実施形態に限定されるものではなく、本発明の趣旨の範囲内で適宜であり、例えば第３部材１３０の支持脚１３２或いは支持板を設けない構成等とすることも可能である。
【００６９】
そして、上記第１〜第１２実施形態等のボーダー構造体１００により、ボーダー領域にボーダー処理構造を形成する緑化エリアは、例えば図１１に示すようになる。図１１の緑化エリアで、２０は植栽ユニット、３０は仕切部材、１００はボーダー構造体である。
【００７０】
また、緑化エリアのボーダー領域にボーダー構造体１００で構成するボーダー処理構造の形態は図１１の例に限定されるものではなく、第１部材１１０、第２部材１２０、第３部材１３０を、必要に応じて適宜に加工し、適宜に組み合わせることで、例えば図１３から図１６に示すような様々な形態とすることが可能であり、略円形、略多角形、或いは斜めのボーダー領域等の施工も容易に行うことができる。
【００７１】
前記の如く多様なボーダー処理構造を構成する場合には、例えば図１２に示すように、第１部材１１０の第２側壁１１２及び架橋板１１３を９０度等の所定角度若しくは所要角度で切断し、第１側壁１１１を外側にして第１部材１１０を所要角度に調整しながら屈曲した構造の所定部材や、或いは第１部材１１０の第２側壁１１２及び架橋板１１３を直線上に切断し、第１側壁１１１を内側にして第１部材１１０を所要角度に調整しながら屈曲した構造の所定部材等、又は、第１部材１１０の長手方向の両端を、第２側壁１１２から第１側壁１１１に向かって拡大するようにテーパ状に切断して構成する所定部材等、又は、第１部材１１０・１１０の架橋板１１３・１１３の先端相互間で形成される形状等に合わせ、第３部材１３０を適宜の形状に切断して構成する所定部材等、第１部材１１０、第２部材、第３部材１３０の適宜の変更部材を用い、更に、これらを適宜に組み合わせて用いることが可能である。
【００７２】
尚、本発明の緑化エリアのボーダー部或いはボーダー領域の処理方法は、大別して、育成材を充填可能な空間或いはボーダー構造体を設置可能なボーダー空間を緑化エリアの外周縁に沿う等の形態で緑化エリアの外周に形成する工程と、前記ボーダー空間内に育成材を充填する若しくはボーダー構造体を設置する工程と、育成材に植栽を施す或いはボーダー構造体に充填する育成材に植栽を施す工程等を有するものとすることが可能である。
【００７３】
そして、第１及び第３実施形態に於けるボーダー領域の処理方法は、例えばボーダー空間に第１部材１１０を配置する第１工程、ボーダー空間に第２部材１２０を配置する第２工程、第１部材１１０と第２部材１２０を接着材による接着部１０３で接着する第３工程、前記第１部材１１０及び第２部材１２０で構成される凹状溝或いはボーダー構造体１００内に育成材１０１を充填する第４工程、育成材１０１に植栽を施す第５工程等とするが可能であり、第２部材１２０として第１部材１１０の第２側壁１１２等を切断した部材を使用する場合には、例えば第１工程と第２工程の間、若しくは第１工程の前に第２側壁１１２等を切断して第２部材１２０を形成する工程等を付加する。
【００７４】
また、第２、第５及び第７実施形態に於けるボーダー領域の処理方法は、例えばボーダー空間に第１部材１１０・１１０を対向して配置する第１工程、第３部材１３０を第１部材１１０・１１０の間に配置する第２工程、第３部材１３０を第１部材１１０・１１０に接着材による接着部１０３で接着する第３工程、第１部材１１０・１１０及び第３部材１３０で構成される凹状溝或いはボーダー構造体１００内に育成材１０１を充填する第４工程、育成材１０１に植栽を施す第５工程等とすることが可能である。
【００７５】
また、第４実施形態に於けるボーダー領域の処理方法は、例えばボーダー空間に第１部材１１０・１１０を対向して配置する第１工程、第１部材１１０・１１０を相互に接着材による接着部１０３で接着する第２工程、第１部材１１０・１１０で構成される凹状溝或いはボーダー構造体１００内に育成材１０１を充填する第３工程、育成材１０１に植栽を施す第４工程等とすることが可能である。
【００７６】
また、第６実施形態に於けるボーダー領域の処理方法は、例えばボーダー空間に第１部材１１０を配置する第１工程、ボーダー空間に第２部材１２０を配置する第２工程、必要に応じて第１部材１１０と第２部材を接着材による接着部１０３で接着する第３工程、第１部材１１０と第２部材１２０で構成される凹状溝或いはボーダー構造体１００内に育成材１０１を充填する第４工程、育成材１０１に植栽を施す第５工程等とすることが可能であり、更に、第１工程の前に、突出板１１６を切断して所要の第１部材１１０を形成する工程を、第１工程と第２工程の間若しくは第１工程の前に、第２側壁１１２や架橋板１１３を切断して第２部材１２０を形成する工程を付加する工程等とする。
【００７７】
また、第８実施形態に於けるボーダー領域の処理方法は、例えば上記第２、第５及び第７実施形態に於けるボーダー領域の処理方法の工程の第１工程の前に、突出板１１６を切断して所要の第１部材１１０を形成する工程を付加する工程等とする。
【００７８】
また、第９実施形態に於けるボーダー領域の処理方法は、例えば上記第１及び第３実施形態に於けるボーダー領域の処理方法の工程の第１工程の前に、第１部材１１０の第１側壁１１１及び第２側壁１１２の最下部の切断凹溝１１４を切断して所要の第１部材１１０を形成する工程を付加する工程等とすることが可能である。
【００７９】
また、第１０実施形態に於けるボーダー領域の処理方法は、例えば一方の第１部材１１０の第２側壁１１２を切断し、且つ第１側壁１１１の最下部の切欠凹溝１１４を切断して一方の第２部材１２０を形成すると共に、他方の第１部材１１０の第２側壁１１２を切断して他方の第２部材１２０を形成し、切断した分離部の第２側壁１１２の下端近傍の最下部から２番目の切欠凹溝１１４を切断して脚部を形成し、一方と他方の第２部材１２０・１２０を対向配置して脚部１０４を突出板１２２を支持するように配置する第１工程と、前記第２部材１２０・１２０で構成される凹状溝或いはボーダー構造体１００内に育成材１０１を充填する第２工程と、育成材１０１に植栽を施す第３工程等とすることが可能である。
【００８０】
また、第１１実施形態に於けるボーダー領域の処理方法は、例えばボーダー空間に第１部材１１０・１１０を対向配置すると共に、第１部材１１０・１１０の突出板１１６と架橋板１１３との間に第３部材１３０の上板１３１を配置する第１工程と、第１部材１１０・１１０及び第３部材１３０で構成される凹状溝或いはボーダー構造体１００内に育成材１０１を充填する第２工程と、育成材１０１に植栽を施す第３工程等とすることが可能である。
【００８１】
また、第１２実施形態に於けるボーダー領域の処理方法は、例えば上記第１及び第３実施形態に於けるボーダー領域の処理方法の第４工程の前に、凹状溝内或いはボーダー構造体１００内等に防根シート１０５を敷設する工程と、防根シート１０５をクリップ部材１０６で止める工程を付加する工程等とすることが可能である。
【００８２】
また、図１３乃至図１６に於けるボーダー領域の処理方法では、例えば第２、第５及び第７実施形態のボーダー領域の処理方法に、第１部材１１０の架橋板１１３及び第２側壁１１２を所定箇所で所定角度に切断する工程や、第１部材１１０の長手方向の一端若しくは両端を所定の傾斜角度に切断する工程や、第３部材１３０の上板１３１や支持脚１３２を上板１３１を所要形状とするように切断する工程等を必要に応じて付加する工程等とすることが可能である。
【００８３】
【発明の効果】
本発明のボーダー構造体或いはボーダー処理構造は、例えば建物の屋上等の敷設面に植栽ユニットを敷設する等により構成する緑化エリアに、植物で緑化するボーダー領域を形成することができ、統一性を有する優れた美観の緑化エリアを形成することを可能にすると共に、ボーダー空間の幅に対応する植栽ボーダー領域を形成することができる。例えば植栽ユニット領域の外周縁と仕切部材の内縁との間のボーダー空間の適宜の幅や距離に適応することができ、又、ボーダー空間内に植物を栽培可能とし、より多くの緑化エリア或いは植栽エリアを形成することができる。
【図面の簡単な説明】
【図１】（ａ）第１実施形態の幅狭のボーダー構造体によるボーダー処理構造を示す断面図。
（ｂ）第２実施形態の幅広のボーダー構造体によるボーダー処理構造を示す断面図。
【図２】（ａ）ボーダー構造体の第１部材を示す側面図。
（ｂ）同図（ａ）の第１部材を示す正面図。
（ｃ）同図（ａ）の第１部材を示す斜視図。
【図３】（ａ）ボーダー構造体の第３部材を示す側面図。
（ｂ）同図（ａ）の第３部材を示す正面図。
【図４】（ａ）第３実施形態のボーダー構造体を示す側面図。
（ｂ）第４実施形態のボーダー構造体を示す側面図。
（ｃ）第５実施形態のボーダー構造体を示す側面図。
【図５】（ａ）基本構造の第１部材を示す側面図。
（ｂ）同図（ａ）の第１部材を示す正面図。
（ｃ）同図（ａ）の第１部材を示す斜視図。
【図６】（ａ）第６実施形態の幅狭のボーダー構造体を示す側面図。
（ｂ）第７実施形態の幅広のボーダー構造体を示す側面図。
（ｃ）第８実施形態の幅広のボーダー構造体を示す側面図。
【図７】（ａ）第１部材の他の変形例を示す側面図。
（ｂ）同図（ａ）の第１部材を示す斜視図。
（ｃ）第９実施形態の中程度の幅のボーダー構造体を示す側面図。
（ｄ）第１０実施形態の幅狭のボーダー構造体を示す側面図。
【図８】（ａ）第１部材の他の変形例を示す側面図。
（ｂ）第３部材の変形例を示す側面図。
【図９】第１１実施形態のボーダー構造体を示す側面図。
【図１０】（ａ）第１２実施形態のボーダー構造体で防根シートを設置する前の状態を示す側面説明図。
（ｂ）同図（ａ）のボーダー構造体で防根シートを設置した状態を示す側面説明図。
【図１１】ボーダー構造体によるボーダー処理構造を有する緑化エリアを示す一部拡大斜視図。
【図１２】（ａ）第１部材の形状変更例を示す平面説明図。
（ｂ）第１部材の他の形状変更例を示す平面説明図。
【図１３】ボーダー構造体によるボーダー処理構造の第１変形例を示す一部拡大平面説明図。
【図１４】ボーダー構造体によるボーダー処理構造の第２変形例を示す一部拡大平面説明図。
【図１５】ボーダー構造体によるボーダー処理構造の第３変形例を示す一部拡大平面説明図。
【図１６】ボーダー構造体によるボーダー処理構造の第４変形例を示す一部拡大平面説明図。
【符号の説明】
１０  敷設面
２０  植栽ユニット
３０  仕切部材
１００  ボーダー構造体
１０１、２４  育成材
１０２、２５  植物
１０３  接着部
１１０  第１部材
１１１、１１２、１２１  側壁
１１３  架橋板
１１４、１３３  切欠凹溝
１１５、１３４  通水部
１１６、１２２  突出板
１１７、１１８、１１９、１２４、１２４、１３５  凸部
１２０  第２部材
１３０  第３部材
１３１  上板
１３２  支持脚
【図１】
2004290152.tif 000003
【図２】
2004290152.tif 000004
【図３】
2004290152.tif 000005
【図４】
2004290152.tif 000006
【図５】
2004290152.tif 000007
【図６】
2004290152.tif 000008
【図７】
2004290152.tif 000009
【図８】
2004290152.tif 000010
【図９】
2004290152.tif 000011
【図１０】
2004290152.tif 000012
【図１１】
2004290152.tif 000013
【図１２】
2004290152.tif 000014
【図１３】
2004290152.tif 000015
【図１４】
2004290152.tif 000016
【図１５】
2004290152.tif 000017
【図１６】
2004290152.tif 000018